(57)【要約】【課題】操作桿に対するレシプロ刃の前後方向の傾斜角度が、刈り取り作業がし易い向きに調整できるのは勿論のこと、ギヤケース及びギヤケース内の動力伝達構造を小型・軽量化させて作業者の負担を少なくし、とくに、ギヤケースの横幅を抑えることにより、操作桿に対するレシプロ刃の横方向のオフセット間隔が抑えられた、左右重量バランスの良い刈払機、更には、レシプロ刃に代えて回転刃の使用も可能な刈払機を提供することを課題とする。【解決手段】刈払機のギヤケースを左右分割させたものを上下回動自在に組み付けて構成し、片側の分割ケースを操作桿側に着脱可能に装着し、他方の分割ケースにレシプロの基部を装着して、ギヤケース内に、入力側になる小径の傘歯車と該傘歯車に歯合する歯面を側方に向けた大径の傘歯車とを配設し、大径の傘歯車の支軸に、突出部を反対側に向けた２枚のカムを装着し、各カムの縁部を囲む位置に、カムの回転に伴ってレシプロ刃の上刃と下刃を前後に駆動させる２枚のアームを配設した。【選択図】図３
2006238866.tif 000002
【特許請求の範囲】
【請求項１】
エンジン又はモータによる回転動力をギヤケース内で減速し、更に往復運動に変換して、ギヤケースに装着されているレシプロ刃を前後に往復駆動させる動力伝達構造を有する刈払機であって、
当該刈払機のギヤケースは、操作桿又はハンドルに支持されている一方の片側の分割ケースと、レシプロ刃が装着されている他方の片側の分割ケースとが回動自在、且つ所望の回動角度で係止可能に組み付けられて構成され、
該ギヤケース内には、入力側の小径の傘歯車と、歯面を側方に向けた大径の傘歯車とを歯合させた減速機構が配設され、大径の傘歯車の側方に、大径の傘歯車と連動する、カム山を互いに反対方向に向けた２枚の円形の偏心カムと、各偏心カムが内接する開口及びレシプロ刃を前後に駆動させる突出部分が形成された２枚の揺動アームとを組み合わせた動力変換機構が配設されていることを特徴とする刈払機。
【請求項２】
操作桿先端側に、ギヤケースに代えて、回転刃の装着が可能な構造を有する請求項１に記載の刈払機。
【発明の詳細な説明】
【技術分野】
【０００１】  本発明は、レシプロ刃の前後傾斜角度の調節が可能な刈払機に関し、とくに、ギヤケースの横幅を抑えて、ギヤケースを軽量・小型化するとともに、左右の重量バランスを向上させた刈払機に関する。
【背景技術】
【０００２】  刈払機は、エンジン又はモータを利用して刈刃を駆動させて、生垣、植木、雑草、芝などを刈り取る作業機であり、刈払機には、生垣、植木、芝等の刈り取り用としてレシプロ刃を装着した機種と、雑草などの刈り取り用として回転刃を装着した機種とがある。【０００３】  レシプロ刃が装着されている刈払機は、エンジン又はモータの回転動力を前後運動に変換してレシプロ刃を前後に駆動させるため、操作桿先端部とレシプロ刃の間にはギヤケースが装着されており、ギヤケース内に、減速歯車、回転動力を往復運動に返還する動力変換機構などが装備されている。そして、刈り取り作業がし易いように、レシプロ刃の前後方向の調整ができる刈払機も公知である（特開平８−１０７７１９号公報）。【０００４】
【特許文献１】特開平８−１０７７１９号公報
【発明が解決しようとする課題】
【０００５】
【０００６】  しかしながら、上記従来技術の刈払機は、同公報の図４に示すように、伝動軸６とウォームギヤ１２の噛み合い位置から横方向に離れた位置に、傘歯車１３，１２による噛み合いが行われているために、横幅の広い伝動ギヤケース１０が必要になり、また、傘歯車２２下方のカム軸２３も横幅広く設けられているために、横幅の広い刈刃駆動ギヤケース２０が必要であった。このため、伝動ギヤケース１０と刈刃駆動ギヤケース２０とを合わせたギヤケース全体の形状が大きくなり、ギヤケース内に縦横２本の軸１１，２１が配設されていることも加えて、ギヤケースの内部を含めた全体の重量が重くなり、これが作業者の負担を大きくしていた。
また、上記従来技術の刈払機は、操作桿１に対してレシプロ刃の中心位置が横方向に大きくオフセットしているため、左右の重量バランスが悪く、この点でも作業者の負担を大きくしていた。
【０００７】  本発明はこれらの不具合を解消するために提案されたものであり、操作桿に対するレシプロ刃の前後方向の傾斜角度が、刈り取り作業がし易い向きに調整できるのは勿論のこと、ギヤケース及びギヤケース内の動力伝達構造を小型・軽量化させて作業者の負担を少なくし、とくに、ギヤケースの横幅を抑えることにより、操作桿に対するレシプロ刃の横方向のオフセット間隔が抑えられた、左右重量バランスの良い刈払機、更には、レシプロ刃に代えて回転刃の使用も可能な刈払機を提供することにある。
【課題を解決するための手段】
【０００８】  本発明の請求項１に記載の刈払機は、エンジン又はモータによる回転動力をギヤケース内で減速し、更に往復運動に変換して、ギヤケースに装着されているレシプロ刃を前後に往復駆動させる動力伝達構造を有する刈払機であって、
当該刈払機のギヤケースは、操作桿又はハンドルに支持されている一方の片側の分割ケースと、レシプロ刃が装着されている他方の片側の分割ケースとが回動自在、且つ所望の回動角度で係止可能に組み付けられて構成され、
該ギヤケース内には、入力側の小径の傘歯車と、歯面を側方に向けた大径の傘歯車とを歯合させた減速機構が配設され、大径の傘歯車の側方に、大径の傘歯車と連動する、カム山を互いに反対方向に向けた２枚の円形の偏心カムと、各偏心カムが内接する開口及びレシプロ刃を前後に駆動させる突出部分が形成された２枚の揺動アームとを組み合わせた動力変換機構が配設されていることを特徴とする。
【０００９】  本発明の請求項１に記載の刈払機は、エンジンを動力源とする刈払機では、エンジンは操作桿の手元側に装着されている。これに対してモータを動力源とする刈払機では、モータが操作桿の手元側に装着されている刈払機と、モータが短いハンドルに装着されている刈払機とが挙げられる。
モータは、家庭用１００Ｖ電源、二次電池、燃料電池のいずれで駆動する。二次電池及び燃料電池は、刈払機側に取り付けないで、刈り取り作業者の腰などに支持させて、電気信号線で接続させるようにしてもよい。操作桿の長さはとくに限定されず、伸縮可能な操作桿を用いてもよい。
【００１０】  左右の分割ケースを回動自在に組み付けてギヤケースを構成した理由は、レシプロ刃の前後回動方向の傾斜角が調整できるようにするためである。
【００１１】  そして、ギヤケース内において、大径の傘歯車を、歯面を側方に向けて配設した理由は、ギヤケースの横幅を抑えるためであり、大径のギヤケースの側方に２枚のカムを配設し、更に、各カムが内接する位置に揺動アームを配設した理由も、ギヤケースの横幅を抑えるためである。このようにすると、ギヤケースを小型・軽量化させることができ、しかも、ギヤケース内の動力伝達機構及び動力変換機構も軽量化できる。
【００１２】  ２枚のカムに、円形の偏心カムを用い、各偏心カムのカム山を反対方向に向けて配設すると、偏心カムの周縁に押されて揺動する揺動アームの揺動が円滑になり、振動も大幅に軽減化される。また、偏心カムと揺動アームの支持も簡単な構造で行えるようになる。
【００１３】  レシプロ刃は、一般には、櫛状の上刃と下刃を互いに前後逆方向に駆動するものが用いられており、このため、請求項１に記載の刈払機も、カム及び揺動アームが、各２組、ギヤケース内に設けられている。尚、上刃と下刃のうちの一方が固定刃であるレシプロ刃に対応させて、ギヤケース内に、１枚の偏心カムと１枚の揺動アームを設けるようにしてもよい。ギヤケースは、更なる軽量化を図るため、アルミダイキャスト製のものにすることが好ましい。
【００１４】  本発明の請求項２に記載の刈払機は、更に、操作桿先端側に、ギヤケースに代えて、回転刃の装着が可能な構造を有する。
【００１５】  回転刃は、操作桿の先端側に突出している出力軸の先端部に装着する。操作桿先端側とは、操作桿の先端部に、本体側ギヤケース、ジョイントを内装したエルボなどを介した先端部のことであり、これらを介すると、先端部を斜め下方に向けた操作桿に対して、出力軸を下方に向けることができるようになる。このような刈払機にすると、１つの刈払機で、レシプロ刃を使用した刈り取り作業と、回転刃を使用した刈り取り作業の選択が可能になり、これら双方の刈り取り作業を必要とする消費者の購入負担を大幅に軽減させる。また、レシプロ刃と回転刃の取り替えも簡単に行える。
【発明の効果】
【００１６】  請求項１に記載の刈払機によれば、ギヤケース及びその内部構造を、横幅を抑えて小型・軽量化した結果、前方の重量を抑えた使い易い刈払機にすることが出来るようになり、しかも、操作桿に対してレシプロ刃の横方向のオフセット間隔が狭い、左右重量バランスが良い、使い易い刈払機にすることが出来るようになった。
【００１７】  また、ギヤケース内に配設されているカムに円形の偏心カムを使用し、このカムが内接する位置に揺動アームを配設した結果、回転動力を円滑に往復運動に変換出来るようになり、動力変換効率が良く、振動が少なく、故障の発生が少ない刈払機にすることが出来るようになった。
【００１８】  また、請求項１に記載の刈払機によれば、レシプロ刃の前後回動方向の傾斜角が調整出来るようにした結果、例えば、生け垣の上面を刈り取る作業など、刈り取り難い位置及び向きの刈り取り面でも、楽な姿勢で刈り取り出来るようになった。このため、無理な刈り取り姿勢を原因とする腰痛、肩痛を防ぐことが出来るようになった。
【００１９】  請求項２に記載の刈払機によれば、レシプロ刃と回転刃のいずれにも対応できるようにした結果、双方の刈り取り作業を必要とする消費者の購入負担を大幅に軽減させることが出来るようになった。
【実施例１】
【００２０】  図１は実施例１の刈払機を示した全体斜視図、図２は同じくその要部を拡大して示した側面図、図３（ａ）は同じくその要部を拡大して示した側面断面図、（ｂ）は刈払機本体からギヤケースを取り去った状態を示した図、図４は実施例１の刈払機の要部を更に拡大して示した後面断面図である。【００２１】  図１に示す実施例１の刈払機１Ａは、軽量金属製パイプで形成された操作桿２の手元側端部に小型のエンジン３が装着され、該操作桿２の先端部に本体側ギヤケース４が装着された刈払機本体５と、レシプロ刃６の基部を保持させたギヤケース７とが着脱可能に装着されて、エンジン３の駆動力で櫛状のレシプロ刃６を前後に駆動させることができるように構成されている。【００２２】  図３（ａ）及び（ｂ）に示すように、本体側ギヤケース４内には、操作桿２内に配設されている動力伝達軸１１の先端部１１ａが突入して、該先端部１１ａと本体側ギヤケース４内に支持されている上下方向に向けた出力軸１２の上端部とが、傘歯車１３，１４による歯合により連結されて配設され、出力軸１２の先端部１２ａは本体側ギヤケース４内から下方に突出し、該先端部１２ａの外周面には、ネジ溝が形成されている。【００２３】  図２、図３（ａ）、図４に示すように、ギヤケース７は、後方から見て左側の分割ケース８と、右側の分割ケース９とが組み付けられて構成されている。
左側の分割ケース８は、円形の外周壁８ａと、左側壁８ｂと、上方に向けた筒部８ｃとが一体形成され、左側壁８ｂの中央に開孔部８ｄが形成されたアルミダイキャスト製の一体形成品で構成され、左側壁８ｂの内側面において該開孔部８ｂの周りに形成されている凹段部内にはベアリング１５が保持され、前記筒部８ｃには、その内壁に保持されているベアリング１９を介して、入力軸１６が支持されている。【００２４】  一方、右側の分割ケース９は、左側の分割ケース８の外周壁８ａが丁度内側に嵌まる大きさに形成された略半円弧形状を有し、その前端部分９ｄが大きく前方に突出して形成された外周壁９ａと、右側壁９ｂとが一体形成され、右側壁９ｂの中央に開孔部９ｃが形成されたアルミダイキャスト製の一体形成品で構成され、前記前端部分９ｄの下端部は開口し、右側壁９ｂの内側面において該開口部９ｃの周りに形成されている凹段部内にはベアリング１７が保持され、前記開口には底板１８が装着されている。【００２５】  図４に示すように、ギヤケース７は、左右の分割ケース８，９の開口された対向縁部が嵌め合わされて、前記ベアリング１５，１７に後述する支軸２２の両端部２２ａ，２２ｂを支持させ、更に分割ケース８，９の外側からナットＮ１，Ｎ２を支軸２２の両端部２２ａ，２２ｂに螺装して、左右の分割ケース８，９が分離しないように、上下回動自在に組み付けられている。【００２６】  図５はギヤケース内に装備されている動力伝達機構の主要部と動力変換機構の主要部を示す分解斜視図である。
図４及び図５に示すように、ギヤケース７内の動力伝達機構は、前記入力軸１６と、入力軸１６の先端部に装着されている小径の傘歯車２０と、該傘歯車２０に歯合させた大径の傘歯車２３と、大径の傘歯車２３を装着している支軸２２とにより構成され、大径の傘歯車２３は、歯面２３ａを側方に向けて、前記左側の分割ケース８の内側に寄せた位置に配設されている。
動力変換機構は、前記支軸２２の回転動力を前後往復運動に変換するためにあり、その主要部は、各山部を反対方向に向けて支軸２２に装着されている２枚の偏心カム３０，３１と、２枚の揺動アーム３２，３３と、３枚のガイド板３４，３５，３６とにより構成されている。
偏心カム３０，３１は、いずれも丈夫な金属製円板で形成されており、２枚の揺動アーム３２，３３は、いずれも板面に偏心カム３０，３１が内接する楕円形状の開口３２ａ，３３ａと、ピン支持用の突出部３２ｂ，３３ｂと、前下方に向けた突出部３２ｃ，３３ｃとを有し、丈夫な金属板で形成されている。尚、突出部３２ｃ，３３ｃは、レシプロ刃６の上刃６Ｂ及び下刃６Ａを個別に駆動させる部分になる。
３枚のガイド板３４，３５，３６のうち、２枚のガイド板３４，３６は、偏心カム３０，３１よりも若干大径を有する円板の金属板で形成され、他の１枚のガイド板３５は、偏心カム３０，３１を支軸２２に装着して重ね合わせた面よりも若干大きな略８字形状を有する金属板で形成されている。【００２７】  そして、中央の１枚のガイド板３５が偏心カム３０，３１の間に挟まり、一方の右側のガイド板３４が偏心カム３０の右面に重なり、左側のガイド板３６が偏心カム３１の左面に重なるように、３枚のガイド板３４，３５，３６と２枚の偏心カム３０，３１とが前記支軸２２に軸支されている。そして、偏心カム３０，３１に連れ回りするように、ガイド板３５の両側から突出する２本のピン３５ａ，３５ｂが偏心カム３０，３１からガイド板３４，３６に向けて突入して、偏心カム３０，３１とガイド板３４，３５，３６とが組み付けられている。
尚、これらの組み付け前に、各偏心カム３０，３１を開口３２ａ，３３ａに内接する位置に揺動アーム３２，３３を配設して、揺動アーム３２，３３を前記分割ケース９の内側に片支持されているピン２６に回動自在にピン支持させてあり、このようにすると、揺動アーム３２，３３が２枚の偏心カム３０，３１から横に外れない。【００２８】  レシプロ刃６は、図３（ａ）及び図１２示すように、櫛状の上刃６Ｂと下刃６Ａとが組み付けられて構成され、上刃６Ｂと下刃６Ａの後端部は、例えば、上刃６Ｂの基部が左寄りに、下刃６Ａの基部が右寄りになる向きに、間隔を設けて後方に振り分けられている。上刃６Ｂと下刃６Ａは、分割ケース９に前方に向けて装着されているガイド部材４３，４２，４４とともにボルト止めされて装着されており、上刃６Ｂと下刃６Ａに形成されているボルト孔は、前後方向に向けた長孔で形成されている。このため、上刃６Ｂと下刃６Ａの前後方向の移動は可能である。
２枚の揺動アーム３２，３３の前下方に向けた突出部３２ｃ，３３ｃの先端部分と、レシプロ刃６の上刃６Ｂと下刃６Ａの後端部とは、上刃６Ｂと下刃６Ａの後端部の上面に装着されている装着部材３８，４０と結部材３７，３９を介して連結されている。【００２９】  次に、図３（ａ）、図４により、ギヤケース７を刈払機本体５に装着する手順と装着構造について説明する。
上述したように、レシプロ刃６が装着されたギヤケース７を刈払機本体５に先端部に装着する場合には、先ず、出力軸１２の先端部１２ａに、入力軸１６の突出端部１６ｂの内径に合わせた外周壁が形成され、その外周面にネジ溝２８ａが形成された装着部材２８を、出力軸１８に嵌入する。
そして、出力軸１２の先端部１２ａにナットＮ４を螺装して、装着部材２８を出力軸１２の先端部１２ａに装着し、続いて、装着部材２８に入力軸１６の上端部を螺装して、出力軸１２と入力軸１６とを連結させる。このようにすると、エンジンの駆動力をギヤケース７内に伝達させることができる。【００３０】  続いて、図３（ａ）に示すように、入力軸１６を支持している分割ケース８の外周壁８ａから後上方に向けて突出固定されている支持アーム５１の上端部と、操作桿２の先端近傍部分に装着されている装着部材５０の下部面とが、ボルト５２，５３及びナットで装着されて、分割ケース８が操作桿２に装着されている。尚、装着部材５０と支持アーム５１に形成されているボルト孔５０ａ，５０ｂ，５１ａが長孔に形成されて、装着部材５０の操作桿２に向けた取付位置の調整ができるようにしてある。【００３１】  図３（ａ）、図４において、入力軸１６による高速回転動力は、前記傘歯車２０，２３の歯合により減速されて支軸２２を減速回転させる。これに伴う偏心カム３０，３１の回転により、各揺動アーム３２，３３によるピン２６を支点にした揺動運動に変換されて、上刃６Ｂと下刃６Ａを交互に前後駆動させる。【００３２】  図７は実施例１の刈払機の使用例を示した図である。
図１に示すように、本実施例の刈払機１は、操作桿２の先端部を前下方に向けた状態において、レシプロ刃６は水平に向けられた傾斜角を有するが、この傾斜角は、生垣の側面、芝などの刈り取りに適した傾斜角であり、例えば、生垣の上面を刈り取るときには不向きな傾斜角になる。このため、実施例１の刈払機１では、図７に示すように、レシプロ刃６の前後回動方向の傾斜角が調整できるようにした。【００３３】  この回動の係止は、図２に示すように、レシプロ刃６が装着されている分割ケース９の上面から後面に向けて装着されているガイド板５５と、前記支持揺動アーム５１とを、ボルト５６，５７で装着することにより行われる。
尚、レシプロ刃６と分割ケース９の前後方向の傾斜角度が変更できるように、前記ガイド板５５に形成されているボルト５６，５７を挿通させるボルト孔５５ａは、支軸２２を中心にした円弧形状の長孔に形成されている。【００３４】  図８は刈払機本体に回転刃を装着させた状態を示した要部側面図である。
図８に示すように、実施例１の刈払機１Ａは、刈払機本体５の先端部から突出している出力軸１２の先端部１２ａに回転刃６０を装着することも可能である。回転刃６０を装着する場合には、出力軸１２の先端部１２ａに回転刃６０を嵌入し、続いて，外周面にネジ溝２８ａが形成された装着部材２８を嵌入して、これらを出力軸１２の先端部１２ａにナットＮ４を螺装して締め付ければよい。
【実施例２】
【００３５】  次に、本発明の実施例２の刈払機について説明する。
図９は実施例２の刈払機の要部を示した斜視図、図１０は同じくギヤケースを分解して示した斜視図、図１１は同じく同じく側面断面図、１２は同じく後面断面図である。尚、これら各図において、図１〜図１０と共通する部分には同一符号を付してある。【００３６】  実施例２の刈払機１Ｂは、実施例１の刈払機と同様に、操作桿２の手元側端部に装着されているエンジン又はモータを動力源としている。そして、図９に示すように、操作桿２の先端部部にはギヤケース４が装着されている。【００３７】  図１０、図１１及び図１２に示すように、ギヤケース４は、上部が円弧形状を有し、下部が下方に向けた壁面７０ａが形成され、これらの一方の片側と他方の片側の下部に壁面７０ｂ，７０ｃが形成され、他方の片側の上部に円形の縁部７０ｄが形成され、縁部７０ｄで囲まれた部分に開口部７０ｅが形成され、下端部に平坦な鞍部７０ｆが形成されたギヤケース本体７０と、
前記開口部７０ｅを閉じる側壁７１ａと操作桿２の先端部を装着するホルダ部７１ｂとが一体形成され、側壁７１ａの片側に、前記縁部７０ｄを囲む円形の縁部７１ｃが形成された蓋体７１と、
前記鞍部７０ｆの下部を被う底板７２とが組み付けられて構成されている。【００３８】  そして、実施例１の刈払機に用いられているギヤケースと同様に、ギヤケース本体７０の壁面７０ｂの上部中央個所と、この個所に対向する蓋体７１の壁面個所に、開孔部７０ｇ，７１ｆが形成され、該開孔部７０ｇ，７１ｆに沿った内側にベアリング１７，１５が保持されて、これらベアリング１７，１５によって、大径の傘歯車２３とカム３０，３１を装着させた支軸２２とが支持されている。そして、該支軸２２の両端部２２ａ，２２ｂにナットＮ１，Ｎ２が螺装されて、ギヤケース本体７０と蓋体７１とが、前記支軸２２を支点に回動自在に組み付けられている。【００３９】  前記ホルダ部７１ｂの上部は筒部で形成され、その上端にはフランジ部７１ｇが形成されている。ホルダ部７１ｂの突出端部には、操作桿２の先端部をホルダ部７１ｂに接続する筒形状の接続部材７５が突入しており、該接続部材７５の途中面に形成されているフランジ部７５ａと前記フランジ部７１ｇとが、ボルト７８及びナット７９を利用して装着されている。
前記接続部材７５内には、ベアリング１９ａ，１９ｂを介して、入力軸７６が支持されており、入力軸７６の下端部には、大径の傘歯車２３と歯合する小径の傘歯車が装着されている。入力軸７６の後端部は、内周壁にネジ溝が形成された筒部分で形成されている。そして、接続部材７５の後端部に、操作桿２の先端部が突入した状態で装着され、入力軸７６の後端部内に、操作桿２内に配設されている連結部材１１の先端部が螺入されている。【００４０】  図１１及び図１２に示すように、大径の傘歯車２３と２枚のカム３０，３１及びガイド板３４，３５，３６は、実施例１の刈払機と同じものが用いられており、大径の傘歯車２３は、前記蓋体７１の内側に配設され、２枚のカム３０，３１及びガイド板３４，３５，３６は、ギヤケース本体７０の内側に配設されている。【００４１】  実施例２の刈払機１Ｂに配設されている揺動アーム３２，３３は、実施例１の刈払機に用いられている揺動アームと同じ位置に設けられて同じ動きをするが、実施例２の刈払機１Ａに使用されている揺動アーム３２，３３は、図１１に示すように、上刃６Ｂと下刃６Ａを前後に駆動させる突出部３２ｃ、３３ｃは下方に突出しており、揺動アーム３２，３３の途中面がピン２６に回動自在に支持されている。【００４２】  レシプロ刃６の基部は、ギヤケース本体７０に支持されており、レシプロ刃６は、ギヤケース７０とともに、操作桿２に支持されている前記蓋体７１に対して回動自在であり、その回動は手動で行われ、回動の固定は、ギヤケース本体７０に装着されている円弧形状の長孔５５ａが形成された装着部材５５と、操作桿２に設けられている装着面（図示せず）とをボルト５９を利用して装着することにより行われる。
【図面の簡単な説明】
【００４３】
【図１】実施例１の刈払機を示した全体斜視図である。
【図２】同じくその要部を拡大して示した側面図である。
【図３】（ａ）は同じくその要部を拡大して示した側面断面図、（ｂ）は刈払機本体からギヤケースを取り去った状態を示した図である。
【図４】実施例１の刈払機の要部を更に拡大して示した後面断面図である。
【図５】ギヤケース内に装備されている動力伝達機構の主要部を示す分解斜視図である。
【図６】（ａ）及び（ｂ）は何れもカムの回転に伴う揺動アームの動きを示した図である。
【図７】実施例１の刈払機の使用例を示した図である。
【図８】刈払機本体に回転刃を装着させた状態を示した要部側面図である。
【図９】実施例２の刈払機の要部を示した斜視図である。
【図１０】同じくギヤケースを分解して示した斜視図である。
【図１１】同じく同じく側面断面図である。
【図１２】同じく後面断面図である。
【符号の説明】
【００４５】  １Ａ  実施例１の刈払機
１Ｂ  実施例２の刈払機
２    操作桿
３    エンジン
４    本体側ギヤケース
５    刈払機本体
６    レシプロ刃
６Ａ  下刃
６Ｂ  上刃
７    ギヤケース
８    分割ケース
９    分割ケース
１１    動力伝達軸
１２    出力軸
１３    傘歯車
１４    傘歯車
１６    入力軸
２０    小径の傘歯車
２２    支軸
２３    大径の傘歯車
３０    カム
３１    カム
３２    揺動アーム
３２ａ  開口
３３    揺動アーム
３３ａ  開口
３４    ガイド板
３５    ガイド板
３６    ガイド板
【図１】
2006238866.tif 000003
【図２】
2006238866.tif 000004
【図３】
2006238866.tif 000005
【図４】
2006238866.tif 000006
【図５】
2006238866.tif 000007
【図６】
2006238866.tif 000008
【図７】
2006238866.tif 000009
【図８】
2006238866.tif 000010
【図９】
2006238866.tif 000011
【図１０】
2006238866.tif 000012
【図１１】
2006238866.tif 000013
【図１２】
2006238866.tif 000014